(57)【要約】【課題】よりよい気流の通路と放熱の効果を提供することができる。【解決手段】外カバー１には一個の開口１１が含まれ、そして開口１１から一個の収容室１２が凹むように形成される。放熱器２は開口１１に設けられ、放熱器２には一個の側壁２１が含まれ、側壁２１には一個の座体２２が含まれ、座体２２と側壁２１の内周壁は隙間を有するように形成され、座体２２は複数個の第一連接部材２３により側壁２１の内周壁に連接され、それぞれの隣接する第一連接部材２３の間には全て第一気流通路２４が形成され、側壁２１の外周壁と収容室１２の内壁面の間に複数個の第二連接部材２６が半径方向に設けられ、側壁２１の外周壁と収容室１２の内壁面は共同で第二気流通路２５を構成する。ファン３は収容室１２の内に位置し、そして放熱器２のその内の一方の側に設けられる。発光部材４は放熱器２のもう一方の側に設けられるように構成されている。【選択図】図１
2011249304.tif 000002
【特許請求の範囲】
【請求項１】
一個の外カバー（１）、一個の放熱器（２）、一個のファン（３）および一個の発光部材（４）を有する灯具において、外カバー（１）には一個の開口（１１）が含まれ、そして開口（１１）から一個の収容室（１２）が凹むように形成され、放熱器（２）は開口（１１）に設けられ、放熱器（２）には一個の側壁（２１）、一個の座体（２２）、複数個の第一連接部材（２３）、複数個の第一気流通路（２４）と一個の第二気流通路（２５）が含まれ、座体（２２）は側壁（２１）の内に位置し、そして座体（２２）と側壁（２１）の内周壁は隙間を有するように形成され、座体（２２）はそれぞれの第一連接部材（２３）により側壁（２１）の内周壁に連接され、隙間のいかなる二個の隣接する第一連接部材（２３）の間には全て第一気流通路（２４）が形成され、そして第二気流通路（２５）は側壁（２１）の外周壁と収容室（１２）の内壁面の間に形成され、ファン（３）は収容室（１２）の内に位置し、そして放熱器（２）のその内の一方の側に設けられ、発光部材（４）は放熱器（２）のもう一方の側に設けられることを特徴とする灯具。
【請求項２】
ファン（３）には二個の気流口（３０ａ、３０ｂ）が含まれ、さらにそれぞれの第一気流通路（２４）と第二気流通路（２５）は全て両端を有するように形成され、それぞれの第一気流通路（２４）の第一端はその内の一個の気流口（３０ｂ）と連通し、第二気流通路（２５）の第一端はもう一個の気流口（３０ａ）と連通し、そしてそれぞれの第一気流通路（２４）と第二気流通路（２５）の第二端は全て開口（１１）に向くように形成されることを特徴とする請求項１に記載の灯具。
【請求項３】
それぞれの第一気流通路（２４）と第二気流通路（２５）の第二端は軸方向上において高度差を有するように形成されることを特徴とする請求項２に記載の灯具。
【請求項４】
それぞれの第一気流通路（２４）と第二気流通路（２５）は全て放熱器（２）の両側の間に連通されることを特徴とする請求項１に記載の灯具。
【請求項５】
側壁（２１）の外周壁には複数個の第二連接部材（２６）が半径方向へ一体になって延伸するように形成されることを特徴とする請求項１、２、３または４に記載の灯具。
【請求項６】
それぞれの第二連接部材（２６）の外周には一個の環状部（２７）が連接され、環状部（２７）は外カバー（１）の開口（１１）に結合されることを特徴とする請求項５に記載の灯具。
【請求項７】
環状部（２７）は一個の連続の環状体または複数個の結合部材を組み立ててなる不連続の環状体からなることを特徴とする請求項６に記載の灯具。
【請求項８】
側壁（２１）には相対するように一個の第一端縁（２１１）と一個の第二端縁（２１２）が含まれ、第一端縁（２１１）は収容室（１２）に向くように形成され、第二端縁（２１２）はその軸心線の方向に沿って環状部（２７）から突出するように形成されることを特徴とする請求項６に記載の灯具。
【請求項９】
座体（２２）には相対するように一個の第一表面（２２１）と一個の第二表面（２２２）が含まれ、第一表面（２２１）は収容室（１２）に向くように形成され、第二表面（２２２）は収容室（１２）に背を向くように形成され、それぞれの第一連接部材（２３）は全てフィンからなり、そしてそれぞれの第一連接部材（２３）は全て側壁（２１）の内周壁から内に向かって延伸するとともに、第一表面（２２１）から突出するように形成されることを特徴とする請求項１、２、３または４に記載の灯具。
【請求項１０】
座体（２２）には相対するように一個の第一表面（２２１）と一個の第二表面（２２２）が含まれ、第一表面（２２１）は収容室（１２）に向くように形成され、第二表面（２２２）は収容室（１２）に背を向くように形成され、そして第二端縁（２１２）はその軸心線の方向に沿って第二表面（２２２）から突出するように形成されることを特徴とする請求項８に記載の灯具。
【請求項１１】
発光部材（４）は一個の基板（４１）によって第二表面（２２２）に設けられることを特徴とする請求項９に記載の灯具。
【請求項１２】
第一表面（２２１）には一個の突出部（２２３）が設けられることを特徴とする請求項９に記載の灯具。
【請求項１３】
ファン（６）には一個のフレーム（６１）が含まれ、フレーム（６１）の外周には一個の阻隔部（６３）が設けられ、阻隔部（６３）の外周縁は第一端縁（２１１）を被覆するように形成されることを特徴とする請求項８に記載の灯具。
【請求項１４】
第二端縁（７１２）は外へ拡張するような形状に形成されることを特徴とする請求項８に記載の灯具。
【請求項１５】
外カバー（１’）には貫穿孔（１３’）が設けられることを特徴とする請求項１、２、３または４に記載の灯具。
【請求項１６】
一個の側壁（２１）、一個の座体（２２）、複数個の第一連接部材（２３）、複数個の第一気流通路（２４）と一個の第二連接部材（２６）を有する灯具の放熱器において、座体（２２）は側壁（２１）の内に位置し、そして座体（２２）と側壁（２１）の内周壁は隙間を有するように形成され、座体（２２）はそれぞれの第一連接部材（２３）により側壁（２１）の内周壁に連接され、隙間のいかなる二個の隣接する第一連接部材（２３）の間には全て第一気流通路（２４）が形成され、そして第二連接部材（２６）は側壁（２１）の外周壁に設けられることを特徴とする灯具の放熱器。
【請求項１７】
第二連接部材（２６）は複数個の半径方向へ設置するフィンからなり、そしていかなる二個の隣接するフィンの間には全て一個の第二気流通路（２５）が形成されることを特徴とする請求項１６に記載の灯具の放熱器。
【請求項１８】
それぞれのフィンの外周には一個の環状部（２７）が連接されることを特徴とする請求項１７に記載の灯具の放熱器。
【請求項１９】
環状部（２７）は一個の連続の環状体または複数個の結合部材を組み立ててなる不連続の環状体からなることを特徴とする請求項１８に記載の灯具の放熱器。
【請求項２０】
座体（２２）には相対するように一個の第一表面（２２１）と一個の第二表面（２２２）が含まれ、それぞれの第一連接部材（２３）は全てフィンからなり、それぞれの第一連接部材（２３）は全て側壁（２１）の内周壁から内に向かって延伸するとともに、第一表面（２２１）から突出するように形成されることを特徴とする請求項１６、１７、１８または１９に記載の灯具の放熱器。
【請求項２１】
第一表面（２２１）には一個の突出部（２２３）が設けられることを特徴とする請求項２０に記載の灯具の放熱器。
【請求項２２】
側壁（２１）のその内の一個の端縁（２１２）は第二表面（２２２）と同じ方向に向くように形成され、そして端縁（２１２）はその軸心線の方向に沿って第二表面（２２２）から突出するように形成されることを特徴とする請求項２０に記載の灯具の放熱器。
【請求項２３】
側壁（２１）は第二表面（２２２）の端縁から突出し、そして外へ拡張するような形状に形成されることを特徴とする請求項２２に記載の灯具の放熱器。
【発明の詳細な説明】
【技術分野】
【０００１】
本発明は、灯具とその放熱器に関するもので、特にファンを利用して空気を流通させて放熱を補助し、さらに埋込み式の場合に適合して室内または室外の照明を提供することができる灯具とその放熱器に係るものである。
【背景技術】
【０００２】
従来の灯具の構造としては、例えば図７に示される中華民国公告第Ｍ３３０４２６号の「灯具の放熱構造」（特許文献１を参照）を参照すると、従来の灯具には一個の放熱座体８１、一個の回路板８２、一個の発光ダイオード８３、一個の放熱ファン８４および一個の灯頭８５が含まれる。放熱座体８１には一個の凹部８１１と一個の収容部８１２が含まれ、回路板８２と発光ダイオード８３は凹部８１１の内に設けられ、放熱ファン８４は収容部８１２の内に設けられ、そして灯頭８５は収容部８１２の外側に結合される。その内に、放熱座体８１には他に収容部８１２まで貫穿した放熱孔８１３が複數個設けられ、灯頭８５には複数個の導風孔８５１が設けられ、そのために放熱ファン８４が回転する時、空気はそれぞれの導風孔８５１を経由して収容部８１２の内に吸入され、そしてそれぞれの放熱孔８１３から排出されるため、灯頭８５から生じる熱エネルギーを拡散することができるようにとしたものがある。
【０００３】
また、別の従来の灯具の構造としては、例えば図８に示される中華民国公告第Ｍ３４６７４５号の「端向排熱式ＬＥＤ灯具」（特許文献２を参照）を参照すると、この従来の灯具には一個の上カバー９１、一個の下カバー９２、一個の放熱ユニット９３および一個のＬＥＤ灯ユニット９４が含まれる。上カバー９１の内部には一個の収容空間９１１が含まれ、上カバー９１と下カバー９２を組み立てて灯具のカバー体として形成することができ、放熱ユニット９３とＬＥＤ灯ユニット９４は収容空間９１１の内に設けられる。その内に、上カバー９１には複数個の通気孔９１２が設けられ、下カバー９２には複数個の貫穿孔９２１が設けられ、そのために放熱ユニット９３の放熱ファン９３１が回転する時、空気はそれぞれの通気孔９１２を経由して収容空間９１１の内に吸入され、そしてそれぞれの貫穿孔９２１から排出されるため、ＬＥＤ灯ユニット９４から生じる熱エネルギーを拡散することができるようにとしたものがある。
【先行技術文献】
【特許文献】
【０００４】
【特許文献１】中華民国公告第Ｍ３３０４２６号
【特許文献２】中華民国公告第Ｍ３４６７４５号
【発明の概要】
【発明が解決しようとする課題】
【０００５】
前者の従来の灯具の構造においては、従来の灯具の構造を使用する時、灯頭８５は一個の灯座に結合され、そしてそれぞれの放熱孔８１３と導風孔８５１は露出されることにより、収容部８１２の内の空気は外部と互いに流通することができる。しかし、このような従来の構造では空気を吸入するためのそれぞれの導風孔８５１は比較的灯具の上方の場所に位置されるため、そして熱空気が上昇するという原理に基づいて、それぞれの放熱孔８１３から排出される熱空気は上昇するもので、そして灯具の比較的上方の場所に溜まり易く、さらにそれぞれの導風孔８５１を経由して再び吸入されるため、放熱の功能に影響を及ぼしてしまうという問題点があった。また、装飾上の全体的な美観性の要求に応じて、灯具を天井板に埋設し隠して設置しなければならない場合、それぞれの放熱孔８１３と導風孔８５１は装飾用の天井板の上方に埋め込まれ、発光ダイオード８３の部分だけが天井板の表面から露出するように形成される。しかし天井板の上方と建物そのもののセメント製の床の間の空間は一般として密閉の空間からなるため、その密閉の空間は外部の空気と循環ができ難く、気流の流通の効果と放熱の効果に影響を及ぼし、さらに熱が溜まり易いという問題が生じ、灯具の使用寿命に影響を及ぼしてしまうという問題点があった。
【０００６】
後者の従来の灯具の構造においては、この従来の灯具の構造を使用する時、空気を吸入するためのそれぞれの通気孔９１２も灯具の上方の場所に位置されるため、それぞれの貫穿孔９２１から排出される熱空気は上昇するように形成され、そしてそれぞれの通気孔９１２を経由して再び吸入されるため、放熱の功能に影響を及ぼしてしまうという問題点があった。また、この従来の灯具の構造においては、灯具を天井板に埋設し隠して設置しなければならない場合、それぞれの貫穿孔９２１は天井板の表面から露出しているが、それぞれの通気孔９１２は依然として天井板の上方に埋め込まれるため、空気の流通と放熱の効果が悪く、さらに熱がこもって灯具の使用寿命に影響を及ぼしてしまうという問題点があった。このように、上記のような従来の灯具の構造をさらに改良しなければならない。
【０００７】
本発明はこのような問題点に鑑みて発明されたものであって、その主な目的とするところは、放熱の効果を高めることができる灯具とその放熱器を提供することである。
【０００８】
本発明の第二の目的は、使用寿命を延ばすことができる灯具とその放熱器を提供することにある。
【０００９】
本発明の第三の目的は、乱流が生じるのを避けることができる灯具とその放熱器を提供することである。
【課題を解決するための手段】
【００１０】
上記目のを達成するために、本発明による灯具は、以下のようになるものである。すなわち、
一個の外カバー、一個の放熱器、一個のファンおよび一個の発光部材を有する。外カバーには一個の開口が含まれ、そして開口から一個の収容室が凹むように形成される。放熱器は開口に設けられ、放熱器には一個の側壁、一個の座体、複数個の第一連接部材、複数個の第一気流通路と一個の第二気流通路が含まれる。座体は側壁の内に位置し、そして座体と側壁の内周壁は隙間を有するように形成される。座体はそれぞれの第一連接部材により側壁の内周壁に連接され、隙間のいかなる二個の隣接する第一連接部材の間には全て第一気流通路が形成され、そして第二気流通路は側壁の外周壁と収容室の内壁面の間に形成される。ファンは収容室の内に位置し、そして放熱器のその内の一方の側に設けられる。発光部材は放熱器のもう一方の側に設けられる。
【００１１】
また、本発明による灯具は、ファンには二個の気流口が含まれ、さらにそれぞれの第一気流通路と第二気流通路は全て両端を有するように形成され、それぞれの第一気流通路の第一端はその内の一個の気流口と連通し、第二気流通路の第一端はもう一個の気流口と連通し、そしてそれぞれの第一気流通路と第二気流通路の第二端は全て開口に向くように形成することもできる。また、それぞれの第一気流通路と第二気流通路の第二端は軸方向上において高度差を有するように形成することもできる。また、それぞれの第一気流通路と第二気流通路は全て放熱器の両側の間に連通されることもできる。また、側壁の外周壁には複数個の第二連接部材が半径方向へ一体になって延伸するように形成することもできる。また、それぞれの第二連接部材の外周には一個の環状部が連接され、環状部は外カバーの開口に結合されることもできる。また、環状部は一個の連続の環状体または複数個の結合部材を組み立ててなる不連続の環状体からなることもできる。また、側壁には相対するように一個の第一端縁と一個の第二端縁が含まれ、第一端縁は収容室に向くように形成し、第二端縁はその軸心線の方向に沿って環状部から突出するように形成することもできる。また、座体には相対するように一個の第一表面と一個の第二表面が含まれ、第一表面は収容室に向くように形成し、第二表面は収容室に背を向くように形成し、それぞれの第一連接部材は全てフィンからなり、そしてそれぞれの第一連接部材は全て側壁の内周壁から内に向かって延伸するとともに、第一表面から突出するように形成することもできる。また、座体には相対するように一個の第一表面と一個の第二表面が含まれ、第一表面は収容室に向くように形成し、第二表面は収容室に背を向くように形成し、そして第二端縁はその軸心線の方向に沿って第二表面から突出するように形成することもできる。また、発光部材は一個の基板によって第二表面に設けられることもできる。また、第一表面には一個の突出部が設けられることもできる。また、ファンには一個のフレームが含まれ、フレームの外周には一個の阻隔部が設けられ、阻隔部の外周縁は第一端縁を被覆するように形成することもできる。また、第二端縁は外へ拡張するような形状に形成することもできる。また、外カバーには貫穿孔が設けられることもできる。
【００１２】
また、本発明による灯具の放熱器は、以下のように構成することもできる。すなわち、一個の側壁、一個の座体、複数個の第一連接部材、複数個の第一気流通路と一個の第二連接部材を有する。座体は側壁の内に位置し、そして座体と側壁の内周壁は隙間を有するように形成され、座体はそれぞれの第一連接部材により側壁の内周壁に連接され、隙間のいかなる二個の隣接する第一連接部材の間には全て第一気流通路が形成され、そして第二連接部材は側壁の外周壁に設けられる。
【００１３】
さらに、本発明による灯具の放熱器は、第二連接部材は複数個の半径方向へ設置するフィンからなり、そしていかなる二個の隣接するフィンの間には全て一個の第二気流通路が形成されることもできる。また、それぞれのフィンの外周には一個の環状部が連接することもできる。また、環状部は一個の連続の環状体または複数個の結合部材を組み立ててなる不連続の環状体からなることもできる。また、座体には相対するように一個の第一表面と一個の第二表面が含まれ、それぞれの第一連接部材は全てフィンからなり、それぞれの第一連接部材は全て側壁の内周壁から内に向かって延伸するとともに、第一表面から突出するように形成することもできる。また、第一表面には一個の突出部が設けられることもできる。また、側壁のその内の一個の端縁は第二表面と同じ方向に向くように形成し、そして端縁はその軸心線の方向に沿って第二表面から突出するように形成することもできる。また、側壁は第二表面の端縁から突出し、そして外へ拡張するような形状に形成することもできる。
【発明の効果】
【００１４】
本発明の灯具とその放熱器によれば、放熱の効果を高めることができるという利点がある。
【００１５】
本発明の灯具とその放熱器によれば、使用寿命を延ばすことができるという利点がある。
【００１６】
本発明の灯具とその放熱器によれば、乱流が生じるのを避けることができるという利点がある。
【図面の簡単な説明】
【００１７】
【図１】図１は、本発明の実施例１の灯具の分解斜視図である。
【図２】図２は、本発明の実施例の放熱器の平面図である。
【図３】図３は、本発明の実施例１の灯具の組み立てられた状態の断面図である。
【図４】図４は、本発明の実施例２の灯具の分解斜視図である。
【図５】図５は、本発明の実施例２の灯具の組み立てられた状態の断面図である。
【図６】図６は、本発明の実施例３の灯具の組み立てられた状態の断面図である。
【図７】図７は、従来の実施例１の灯具の組み立てられた状態の断面図である。
【図８】図８は、従来の実施例２の灯具の組み立てられた状態の断面図である。
【発明を実施するための形態】
【００１８】
本発明の実施の形態について、以下、図面を参照して説明する。
【実施例１】
【００１９】
図１は本発明の実施例１の灯具の分解斜視図である。図１を参照すると、本発明の実施例１の灯具には一個の外カバー１、一個の放熱器２、一個のファン３および一個の発光部材４が含まれる。その内に、放熱器２はファン３と発光部材４の間に設けられ、そして外カバー１は放熱器２の外に設けられる。そのため、ファン３が回転する時、空気は放熱器２を経由して吸入されたり吹き出されたりすることにより、外カバー１の内の空気は外部と循環して流通することができるため、発光部材４から生じる熱エネルギーを吹く散らすことができる。
【００２０】
外カバー１の一端には一個の開口１１が含まれ、そして開口１１から一個の収容室１２が凹むように形成される。
【００２１】
図２は本発明の実施例の放熱器の平面図である。図１、２を参照すると、放熱器２は外カバー１の開口１１の場所に設けられ、そして好ましくは高い導熱係数を有する材質により製造され、放熱器２には一個の側壁２１、一個の座体２２、複数個の第一連接部材２３、複数個の第一気流通路２４と一個の第二気流通路２５が含まれる。
【００２２】
側壁２１は一個の環状壁からなることができる。座体２２は側壁２１の中央に位置するように形成され、座体２２と側壁２１の内周壁の間には隙間が含まれ、そして座体２２はそれぞれの第一連接部材２３によって側壁２１の内周壁に連接され、隙間のいかなる二個の隣接する第一連接部材２３の間には全て第一気流通路２４が形成され、そしてそれぞれの第一気流通路２４には全て両端が含まれる。その内に第一端は収容室１２と連通し、第二端は開口１１の場所に露出するように形成される。座体２２には相対するように一個の第一表面２２１と一個の第二表面２２２が含まれ、第一表面２２１は収容室１２に向くように形成され、第二表面２２２は収容室１２に背を向くように形成される。それぞれの第一連接部材２３は全てフィンからなることができ、そして側壁２１の内周壁から半径方向に内へ向かって延伸するように形成され、それぞれの第一連接部材２３は第一表面２２１から突出するように形成されるため、第一表面２２１の放熱の面積を増やすことができる。さらに第一表面２２１の中央には他に一個の突出部２２３が設けられる。
【００２３】
第二気流通路２５は側壁２１の外周壁と収容室１２の内壁面の間に形成される。本実施例においては、側壁２１の外周壁から半径方向に複数個の第二連接部材２６が設けられ、そしてそれぞれの第二連接部材２６は全てフィンからなることができるため、第二気流通路２５の内部壁面の放熱面積を増やすことができる。また、第二気流通路２５には両端が含まれ、その内に第一端は収容室１２と連通し、第二端は開口１１の場所に露出するように形成される。それぞれの第二連接部材２６は側壁２１の外周壁から放射線状に外へ向かって一体になって延伸するように形成される。また、それぞれの第二連接部材２６の外周には他に一個の環状部２７が連接され、環状部２７は一個の連続の環状体（図１に示す如く）または複数個の結合部材を組み立ててなる不連続の環状体からなることができ、そして環状部２７によって放熱器２を外カバー１に結合する。さらに側壁２１は開口１１の場所から突出するように形成される。
【００２４】
その他に、側壁２１には一個の第一端縁２１１と一個の第二端縁２１２が含まれ、第一端縁２１１は座体２２の第一表面２２１と同様に全て収容室１２に向くように形成される。第二端縁２１２は好ましくはその軸心線に方向に沿って外カバー１の開口１１から突出するように形成され、そして第二端縁２１２も第二表面２２２から突出するように形成することができるため、側壁２１によってそれぞれの第一気流通路２４と第二気流通路２５の第二端を有効に隔てることができる。
【００２５】
ファン３は収容室１２内に位置し、そしてファン３には二個の気流口３０ａ、３０ｂが含まれる。それぞれの第一気流通路２４の第一端は全てその内の一個の気流口３０ｂと連通し、第二気流通路２５の第一端は全てもう一個の気流口３０ａと連通することにより、空気を導引してファン３を経由し、それぞれの第一気流通路２４と第二気流通路２５の間において流通する。ファン３のフレーム３１には複数個の組立部３２が設けられ、そして側壁２１にも相対するように複数個の固定部２１３が設けられることにより、複数個の固定部材を利用してそれぞれの組立部３２によってファン３を放熱器２の上に固定することができる。
【００２６】
発光部材４には一個の基板４１と少なくとも一個の発光体４２が含まれる。発光体４２は好ましくは選択的に発光ダイオードからなり、そして発光体４２は基板４１のその内の一方の面に設けられる。
【００２７】
図３は本発明の実施例１の灯具の組み立てられた状態の断面図である。図１、３を参照すると、本発明の実施例１における灯具のそれぞれの部材を組み立てた後、ファン３と発光部材４はそれぞれ放熱器２の両側に設けられ、ファン３は第一表面２２１に向くように形成され、そして突出部２２３によってファン３を支持し位置決めすることができる。発光部材４は基板４１をもって第二表面２２２と連接する。放熱器２は環状部２７を通じて外カバー１の開口１１の場所に結合される。ファン３は収容室１２の内に位置するように形成され、発光体４２は開口１１の場所に露出するように形成される。また、それぞれの第一気流通路２４と第二気流通路２５は全て放熱器２の両側の間に連通され、そしてそれぞれの第一気流通路２４と第二気流通路２５の第一端はそれぞれファン３の二個の気流口３０ｂ、３０ａと連通し、それぞれの第一気流通路２４と第二気流通路２５の第二端は開口１１に露出するように形成される。さらにそれぞれの第一気流通路２４と第二気流通路２５の第二端は軸方向において高度差を有するため、灯具以外の外部の空気は第一気流通路２４と第二気流通路２５のその内の一個を経由して収容室１２に吸入され、そしてもう一個を経由して導出される。
【００２８】
再び図３を参照すると、本発明の実施例１の灯具を実施する時、外カバー１は天井板５の上方に埋め込まれ、そして好ましくは環状部２７は天井板５の表面に貼接するように形成される。ファン３が回転する時、空気は第一気流通路２４と第二気流通路２５のその内の一個を経由して収容室１２に吸入され、そしてもう一個を経由して導出されることにより、補助的に発光部材４から生じるの熱エネルギーを拡散することができる。また、本発明においては、ファン３の正方向または反対方向への回転の方向を制御することにより、空気の流通の方向を変えることができる。例えば、ファン３が反対方向へ回転する時、空気は第二気流通路２５から収容室１２まで吸入され、そしてファン３を通過した後、さらにそれぞれの第一気流通路２４を経由吹き出される。それに反して、ファン３が正方向へ回転する時、空気はそれぞれの第一気流通路２４から収容室１２まで吸入され、そしてファン３を通過した後、さらに第二気流通路２５を経由して吹き出されることにより、補助的に発光部材４から生じる熱エネルギーを拡散することができる。
【００２９】
しかし、空気の流通の方向は何れの方向であっても、本発明のそれぞれの第一気流通路２４と第二気流通路２５は全て天井板５の表面から露出しているため、外部空気とスムーズに循環することができる。また、それぞれの第一気流通路２４と第二気流通路２５の第二端は軸方向上において高度差を有するように形成され、そして側壁２１によってそれぞれの第一気流通路２４と第二気流通路２５の第二端を隔てることにより、吸入と排出の空気を有効に隔離することができるため、混流が生じるのを避けることができ、さらに灯具から排出される熱気が直ちに吸引されて収容室１２の中に進入するのを避けることができるため、よりよい気流の流通効果と放熱の効果を提供することができる。
【実施例２】
【００３０】
図４は本発明の実施例２の灯具の分解斜視図で、図５は本発明の実施例２の灯具の組み立てられた状態の断面図である。図４、５を参照すると、本発明の実施例２の灯具には一個の外カバー１、一個の放熱器２、一個のファン６および一個の発光部材４が含まれる。その内に、ファン６のフレーム６１にも二個の気流口６０ａ、６０ｂが含まれ、そしてフレーム６１には複数個の組立部６２が設けられる。
【００３１】
上述した実施例１と比較して、実施例２においてファン６のフレーム６１にはさらに一個の阻隔部６３が設けられ、阻隔部６３はフレーム６１の外周から外へ向かって延伸するような環状板体からなり、そして阻隔部６３の外周縁は好ましくは側壁２１の第一端縁２１１を被覆するように形成される。
【００３２】
そのため、ファン６が反対方向へ回転する時、空気は第二気流通路２５から収容室１２まで吸入され、そしてファン６を通過した後、さらにそれぞれの第一気流通路２４を経由して吹き出される。また、ファン６が正方向へ回転する時、空気はそれぞれの第一気流通路２４から収容室１２まで吸入され、さらにファン６を通過した後、第二気流通路２５を経由して吹き出される。
【００３３】
しかし、空気の流通の方向は何れの方向であっても、阻隔部６３はさらに第一気流通路２４と第二気流通路２５内の空気を導引し、そしてファン６の二個の気流口６０ａ、６０ｂだけを経由して互いに流通することにより、空気が順序よく固定の通路に従って循環するのを確保することができるため、乱流が生じるのを避けることができる。
【実施例３】
【００３４】
図６は本発明の実施例３の灯具の組み立てられた状態の断面図である。図６を参照すると、本発明の実施例３の灯具にも一個の外カバー１’、一個の放熱器７、一個のファン６および一個の発光部材４が含まれる。その内に、外カバー１’にも開口１１’と収容室１２’が含まれる。放熱器７にも一個の側壁７１、一個の第一端縁７１１、一個の第二端縁７１２、複数個の固定部７１３、一個の座体７２、一個の第一表面７２１、一個の第二表面７２２、一個の突出部７２３、複数個の第一連接部材７３、複数個の第一気流通路７４、一個の第二気流通路７５、複数個の第二連接部材７６と一個の環状部７７が含まれる。
【００３５】
上述した実施例２と比較して、実施例３において外カバー１’にはさらに少なくとも一個の貫穿孔１３’が設けられる。実施例３において外カバー１’には複数個の貫穿孔１３’が設けられることにより、第二気流通路７５が空気を吸入したり排出したりする時、それぞれの貫穿孔１３’によって補助的な吸入と排出の効果を提供することができるとともに、風の進入量と排出量を増やすことができるため、放熱の効果を高めると同時に、乱流によって生じた騒音を低く抑えることができる。また、実施例３においてさらに側壁７１の第二端縁７１２は外へ拡張するような形状に形成されることにより、略ラッパ型の形状を有する第二端縁７１２によって空気の流通のスムーズ性を増やすことができる。
【００３６】
上述したように、本発明の外カバーが天井板の上方に埋め込まれた時、それぞれの第一気流通路と第二気流通路の第二端は全て天井板の表面から露出していることにより、外部の空気とスムースに循環することができるため、空気の流通の効果と放熱の効果を高めることができる。
【００３７】
本発明の灯具とその放熱器によれば、空気の流通の効果と放熱の効果がよくなるため、発光部材から生じる熱エネルギーを迅速に排除することができ、さらに灯具の使用寿命を延ばすことができる。
【００３８】
本発明の灯具とその放熱器によれば、側壁の第二端縁はその軸心線の方向に沿って外カバーの開口と第二表面から突出していることにより、またそれぞれの第一気流通路と第二気流通路の第二端は軸方向において高度差を有することにより、側壁によってそれぞれの第一気流通路と第二気流通路の第二端を隔てることができるため、吸入と排出の空気が互いに押し合うことによって混流が生じるのを避けることができる。
【００３９】
また、ファンの阻隔部によってさらに第一気流通路と第二気流通路内の空気を導引し、そしてファンの二個の気流口だけを経由して互いに流通することにより、空気が順序よく固定の通路に従って循環するのを確保することができるため、乱流が生じるのを避けることができる。
【００４０】
本発明は、その精神とび必須の特徴事項から逸脱することなく他のやり方で実施することができる。従って、本明細書に記載した好ましい実施例は例示のなものであり、限定のなものではない。
【符号の説明】
【００４１】
１    外カバー
１１    開口
１２    収容室
１’    外カバー
１１’    開口
１２’    収容室
１３’    貫穿孔
２    放熱器
２１    側壁
２１１    第一端縁
２１２    第二端縁
２１３    固定部
２２    座体
２２１    第一表面
２２２    第二表面
２２３    突出部
２３    第一連接部材
２４    第一気流通路
２５    第二気流通路
２６    第二連接部材
２７    環状部
３    ファン
３０ａ    気流口
３０ｂ    気流口
３１    フレーム
３２    組立部
４    発光部材
４１    基板
４２    発光体
５    天井板
６    ファン
６０ａ    気流口
６０ｂ    気流口
６１    フレーム
６２    組立部
６３    阻隔部
７    放熱器
７１    側壁
７１１    第一端縁
７１２    第二端縁
７１３    固定部
７２    座体
７２１    第一表面
７２２    第二表面
７２３    突出部
７３    第一連接部材
７４    第一気流通路
７５    第二気流通路
７６    第二連接部材
７７    環状部
８１    放熱座体
８１１    凹部
８１２    収容部
８１３    放熱孔
８２    回路板 
８３    発光ダイオード
８４    放熱ファン
８５    灯頭
８５１    導風孔
９１    上カバー
９１１    収容空間
９１２    通気孔
９２    下カバー
９２１    貫穿孔
９３    放熱ユニット
９３１    放熱ファン
９４    ＬＥＤ灯ユニット
【図１】
2011249304.tif 000003
【図２】
2011249304.tif 000004
【図３】
2011249304.tif 000005
【図４】
2011249304.tif 000006
【図５】
2011249304.tif 000007
【図６】
2011249304.tif 000008
【図７】
2011249304.tif 000009
【図８】
2011249304.tif 000010